(57)【要約】【課題】画像内の固定パターンノイズを補正すること。【解決手段】制御装置１０４は、撮像素子１０３から読み出した画像データ内における線状の固定パターンノイズの発生位置を特定し、特定した線状の固定パターンノイズの発生位置と撮影画面内の特定領域の位置とが重複する場合には、少なくとも特定領域に対応する画像データに対し、固定パターンノイズによる影響を抑制するための補正処理を実行する。【選択図】図１
2011109580.tif 000002
【特許請求の範囲】
【請求項１】
撮像素子から撮影画面内全体の画像データを読み出す全体データ読み出し手段と、
前記全体データ読み出し手段によって読み出された前記画像データにおける線状の固定パターンノイズの発生位置を特定する特定手段と、
前記画像データに基づいて、前記撮影画面内の特定領域の位置を検出する検出手段と、
前記検出手段によって検出された前記特定領域の位置と、前記特定手段によって特定された前記発生位置とが重複するか否かを判別する判別手段と、
前記判別手段によって前記両位置が重複することが判別されると、少なくとも前記特定領域に対応する画像データに対し、前記固定パターンノイズによる影響を抑制するための補正処理を実行する補正手段とを備えることを特徴とするカメラ。
【請求項２】
請求項１に記載のカメラにおいて、
前記撮像素子から前記特定領域の画像データを読み出す特定領域データ読み出し手段をさらに備え、
前記全体データ読み出し手段が前記撮影画面全体の画像データを読み出した後に、前記特定領域データ読み出し手段が前記特定領域の画像データを読み出し、
前記補正手段は、前記特定領域データ読出し手段によって読み出された前記特定領域に対応する画像データに対して前記補正処理を実行することを特徴とするカメラ。
【請求項３】
請求項２に記載のカメラにおいて、
前記補正手段は、前記特定手段によって特定された前記線状の固定パターンノイズを発生する対象画素の出力を、当該対象画素の周囲に配置された同色画素の出力を用いて補正することを特徴とするカメラ。
【請求項４】
請求項１〜３のいずれか一項に記載のカメラにおいて、
前記補正手段は、前記特定手段によって特定された前記線状の固定パターンノイズを発生する対象画素の出力を、当該対象画素の周囲に配置された同色画素のうちの１つ出力で置き換えることにより、前記補正処理を行うことを特徴とするカメラ。
【請求項５】
請求項４に記載のカメラにおいて、
前記補正手段は、前記選択する同色画素の前記対象画素に対する相対位置を各対象画素ごとに変更することを特徴とするカメラ。
【請求項６】
請求項４または５に記載のカメラにおいて、
前記補正手段は、複数の前記対象画素を含む対象画素列において、前記対象画素毎に補正対象として選択される画素を、当該対象画素列に対して左右に配置された画素列から交互に選択することを特徴とするカメラ。
【請求項７】
請求項５または６に記載のカメラにおいて、
前記補正手段は、前記選択する同色画素の前記対象画素に対する相対位置をフレームごとにさらに変更することを特徴とするカメラ。
【請求項８】
請求項１〜７のいずれか一項に記載のカメラにおいて、
画像内における前記線状の固定パターンノイズの発生位置を特定するための情報を記録する記録手段をさらに備え、
前記特定手段は、前記記録手段に記録されている情報に基づいて、前記特定領域内における線状の固定パターンノイズの発生位置を特定することを特徴とするカメラ。
【請求項９】
請求項１〜８のいずれか一項に記載のカメラにおいて、
前記撮影画面内に前記特定領域を示す情報を表示する表示手段をさらに備えることを特徴とするカメラ。
【請求項１０】
請求項９に記載のカメラにおいて、
前記表示手段は、前記特定領域を囲む枠を前記特定領域を示す情報として表示することを特徴とするカメラ。
【請求項１１】
請求項９に記載のカメラにおいて、
前記表示手段は、前記特定領域とその周囲の領域を含んだ領域を囲む枠を前記特定領域を示す情報として表示することを特徴とするカメラ。
【請求項１２】
請求項１１に記載のカメラにおいて、
前記表示手段は、前記特定領域とその周囲の領域を含んだ領域を囲む枠の内部をカラー画像とし、それ以外の領域を白黒画像とすることを特徴とするカメラ。
【発明の詳細な説明】
【技術分野】
【０００１】
本発明は、カメラに関する。
【背景技術】
【０００２】
次のような画素欠陥補正装置が知られている。この画素欠陥補正装置は、撮像素子欠陥により生じた線キズを補正する（例えば、特許文献１）。
【先行技術文献】
【特許文献】
【０００３】
【特許文献１】特開２００６−１８００９９号公報
【発明の概要】
【発明が解決しようとする課題】
【０００４】
しかしながら、従来の画素欠陥補正装置では、画像全体を対象として線キズの補正を行うため処理負荷が高くなるという問題があった。
【課題を解決するための手段】
【０００５】
本発明によるカメラは、撮像素子から撮影画面内全体の画像データを読み出す全体データ読み出し手段と、全体データ読み出し手段によって読み出された画像データにおける線状の固定パターンノイズの発生位置を特定する特定手段と、画像データに基づいて、撮影画面内の特定領域の位置を検出する検出手段と、検出手段によって検出された特定領域の位置と、特定手段によって特定された発生位置とが重複するか否かを判別する判別手段と、判別手段によって両位置が重複することが判別されると、少なくとも特定領域に対応する画像データに対し、固定パターンノイズによる影響を抑制するための補正処理を実行する補正手段とを備えることを特徴とする。
本発明では、撮像素子から前記特定領域の画像データを読み出す特定領域データ読み出し手段をさらに備え、全体データ読み出し手段が撮影画面全体の画像データを読み出した後に、特定領域データ読み出し手段が特定領域の画像データを読み出し、補正手段は、特定領域データ読出し手段によって読み出された特定領域に対応する画像データに対して補正処理を実行するようにしてもよい。
補正手段は、特定手段によって特定された線状の固定パターンノイズを発生する対象画素の出力を、当該対象画素の周囲に配置された同色画素の出力を用いて補正するようにしてもよい。
補正手段は、特定手段によって特定された線状の固定パターンノイズを発生する対象画素の出力を、当該対象画素の周囲に配置された同色画素のうちの１つ出力で置き換えることにより、補正処理を行うようにしてもよい。
補正手段は、選択する同色画素の対象画素に対する相対位置を各対象画素ごとに変更するようにしてもよい。
補正手段は、複数の対象画素を含む対象画素列において、対象画素毎に補正対象として選択される画素を、当該対象画素列に対して左右に配置された画素列から交互に選択するようにしてもよい。
補正手段は、選択する同色画素の対象画素に対する相対位置をフレームごとにさらに変更するようにしてもよい。
画像内における線状の固定パターンノイズの発生位置を特定するための情報を記録する記録手段をさらに備え、特定手段は、記録手段に記録されている情報に基づいて、特定領域内における線状の固定パターンノイズの発生位置を特定するようにしてもよい。
撮影画面内に特定領域を示す情報を表示する表示手段をさらに備えるようにしてもよい。
表示手段は、特定領域を囲む枠を特定領域を示す情報として表示するようにしてもよい。
表示手段は、特定領域とその周囲の領域を含んだ領域を囲む枠を特定領域を示す情報として表示するようにしてもよい。
表示手段は、特定領域とその周囲の領域を含んだ領域を囲む枠の内部をカラー画像とし、それ以外の領域を白黒画像とするようにしてもよい。
【発明の効果】
【０００６】
本発明によれば、線キズ補正を行うための処理の負荷を低減することができる。
【図面の簡単な説明】
【０００７】
【図１】カメラの一実施の形態の構成を示すブロック図である。
【図２】制御装置１０４によって実行される処理の流れを示したフローチャート図である。
【図３】認識動作Ａの処理シーケンスを模式的に示した図である。
【図４】認識枠４ａの表示例を示す図である。
【図５】認識動作Ｂの処理シーケンスを模式的に示した第１の図である。
【図６】補正対象画素の具体例を示す図である。
【図７】ＦＰＮ補正の具体例を示す第１の図である。
【図８】ＦＰＮ補正の具体例を示す第２の図である。
【図９】ＦＰＮ補正の具体例を示す第３の図である。
【図１０】認識枠４ａ内の領域とその周囲の領域を囲んだ枠１０ａの表示例を示す図である。
【図１１】認識動作Ｂの処理シーケンスを模式的に示した第２の図である。
【発明を実施するための形態】
【０００８】
図１は、本実施の形態におけるカメラの一実施の形態の構成を示すブロック図である。カメラ１００は、操作部材１０１と、レンズ１０２と、撮像素子１０３と、制御装置１０４と、メモリカードスロット１０５と、モニタ１０６とを備えている。操作部材１０１は、使用者によって操作される種々の入力部材、例えば電源ボタン、レリーズボタン、ズームボタン、十字キー、決定ボタン、再生ボタン、削除ボタンなどを含んでいる。
【０００９】
レンズ１０２は、複数の光学レンズから構成されるが、図１では代表して１枚のレンズで表している。なお、レンズ１０２を構成するレンズには、焦点調節を行うための焦点調節用レンズ（ＡＦレンズ）が含まれる。撮像素子１０３としては例えばＣＭＯＳが用いられ、レンズ１０２により結像した被写体像を撮像する。そして、撮像によって得られた画像信号を制御装置１０４へ出力する。
【００１０】
制御装置１０４は、撮像素子１０３から入力された画像信号に基づいて所定の画像形式、例えばＪＰＥＧ形式の画像データ（以下、「本画像データ」と呼ぶ）を生成する。また、制御装置１０４は、生成した画像データに基づいて、表示用画像データ、例えばサムネイル画像データを生成する。制御装置１０４は、生成した本画像データとサムネイル画像データとを含み、さらにヘッダ情報を付加した画像ファイルを生成してメモリカードスロット１０５へ出力する。本実施の形態では、本画像データとサムネイル画像データとは、いずれもＲＧＢ表色系で表された画像データであるものとする。
【００１１】
メモリカードスロット１０５は、記憶媒体としてのメモリカードを挿入するためのスロットであり、制御装置１０４から出力された画像ファイルをメモリカードに書き込んで記録する。また、メモリカードスロット１０５は、制御装置１０４からの指示に基づいて、メモリカード内に記憶されている画像ファイルを読み込む。
【００１２】
モニタ１０６は、カメラ１００の背面に搭載された液晶モニタ（背面モニタ）であり、当該モニタ１０６には、メモリカードに記憶されている画像やカメラ１００を設定するための設定メニューなどが表示される。また、制御装置１０４は、使用者によってカメラ１００のモードが撮影モードに設定されると、撮像素子１０３から時系列で取得した画像の表示用画像データをモニタ１０６に出力する。これによってモニタ１０６にはスルー画が表示される。
【００１３】
制御装置１０４は、ＣＰＵ、メモリ、およびその他の周辺回路により構成され、カメラ１００を制御する。なお、制御装置１０４を構成するメモリには、ＳＤＲＡＭやフラッシュメモリが含まれる。ＳＤＲＡＭは、揮発性のメモリであって、ＣＰＵがプログラム実行時にプログラムを展開するためのワークメモリとして使用されたり、データを一時的に記録するためのバッファメモリとして使用される。また、フラッシュメモリは、不揮発性のメモリであって、制御装置１０４が実行するプログラムのデータや、プログラム実行時に読み込まれる種々のパラメータなどが記録されている。
【００１４】
本実施の形態におけるカメラ１００は、顔認検出能を備えており、モニタ１０６へのスルー画表示時にフレーム内から人物の顔を検出し、検出した顔を含む領域（以下、「顔領域」と呼ぶ）を枠で囲むことにより、顔の検出結果をスルー画上に表示する。また、使用者によって、スルー画表示中に操作部材１０１に含まれるレリーズボタンが半押しされた場合には、検出した顔を対象として焦点調節を行う。そして、使用者によって、レリーズボタンが全押しされた場合には、撮影処理を行う。これによって、人物の顔に合焦させた画像を撮影することができる。
【００１５】
このようなカメラ１００においては、撮像素子１０３に製造過程で発生した画像信号が正常に出力されない欠陥画素がある場合や、撮像素子１０３内の伝送路に異常がある場合等には、これらに起因して、撮影された画像上に縦線状のキズが生じる可能性がある。このような縦線状のキズは、固定パターンノイズ（ＦＰＮ）と呼ばれ、これらが発生することは画質上好ましくないため、この固定パターンノイズを低減するための補正を行う必要がある。
【００１６】
なお、撮影された画像全体を対象として固定パターンノイズを低減するための補正（
ＦＰＮ補正）を行なう方法も考えられるが、画像全体を対象にすると制御装置１０４に処理負荷がかかり、処理速度が低下するため、本実施の形態では、固定パターンノイズの発生位置が上述した顔領域内に存在する場合にのみ補正を行うようにする。このようにしても、画像を再生して閲覧する際には主要被写体である人物の顔の注目度が高く、それ以外の領域の注目度は低いことから、注目度が高い領域に発生したキズを補正することができるため閲覧者は違和感なく画像を閲覧することができる。
【００１７】
具体的には、制御装置１０４は、図２に示す処理を行うことにより、ＦＰＮ補正を行う。なお、図２に示す処理は、スルー画の表示が開始されると起動するプログラムとして、制御装置１０４によって実行される。なお、画像内における固定パターンノイズの発生位置は、製造過程で把握できるため、その発生位置を特定するための情報、例えば固定パターンノイズが発生する画素位置を示す情報は、あらかじめフラッシュメモリに記録されているものとする。
【００１８】
ステップＳ１０において、制御装置１０４は、認識動作Ａを開始する。この認識動作Ａでは、制御装置１０４は、図３に示すシーケンスに従って撮像素子１０３からの画像データの取り込み処理、およびモニタ１０６への画像の表示処理が行われる。具体的には、制御装置１０４は、以下のように認識動作Ａを行う。
【００１９】
まず、制御装置１０４は、シーケンスＡに従い、一定時間Ｔ２間隔で撮像素子１０３からの撮影画面全体、すなわち全画面の画像データの読み出し処理と、読み出した全画面の画像データ内からの特定被写体の認識処理とを繰り返す。すなわち、図３に示す例では、制御装置１０４は、期間Ｔ２Ａで全画面の画像データの読み出し処理を行い、期間Ｔ２Ｂで特定被写体の認識処理を行う。なお、本実施の形態では、特定被写体の認識処理として、全画面の画像データ内から人物の顔を認識するための顔認識処理が実行される。
【００２０】
制御装置１０４は、シーケンスＡによって人物の顔を認識できた場合には、シーケンスＢに従って、時間Ｔ２の２倍の時間Ｔ１間隔で全画面の画像データ内に顔認識の結果を表示してモニタ１０６に出力する。例えば、制御装置１０４は、図４に示すように、全画面の画像データ内に顔認識処理で認識した顔を含んだ最小の領域を顔領域とし、この顔領域を認識枠４ａで囲んで表示する。
【００２１】
これによって、シーケンスＡに従ってＴ２周期で全画面の画像データの読み出し処理と顔認識処理とが行われ、Ｔ１周期で顔認識結果が反映された画像がモニタ１０６に表示されることになる。すなわち、Ｔ１周期でモニタ１０６に表示される画像が更新されることになる。ここで、例えば、時間Ｔ２を制御装置１０４が全画面分の画像データを処理できる最小の時間、具体的にはフレームレートが６０ｆｐｓとなるように設定し、時間Ｔ１をフレームレートが３０ｆｐｓとなるように設定すれば、使用者が違和感を感じることがないようにスルー画を表示することができる。
【００２２】
その後、ステップＳ２０へ進み、制御装置１０４は、認識動作Ａが継続中か否か、すなわち期間Ｔ２ＡおよびＴ２Ｂが終了していないか否かを判断する。ステップＳ２０で否定判断した場合には、ステップＳ１０へ戻って処理を繰り返す。これに対して、ステップＳ２０で肯定判断した場合には、ステップＳ３０へ進む。
【００２３】
ステップＳ３０では、制御装置１０４は、認識動作Ｂを開始する。この認識動作Ｂでは、制御装置１０４は、図５に示すシーケンスに従って撮像素子１０３からの認識枠４ａ内の画像データの取り込み処理、および認識枠４ａ内の固定パターンノイズの発生状況の検出処理が行われる。具体的には、制御装置１０４は、以下のように認識動作Ｂを行う。なお、図５に示すシーケンスにおいて、時間Ｔ１およびＴ２は、図３に示したシーケンスにおける時間Ｔ１およびＴ２と同じ長さの時間とする。
【００２４】
まず、制御装置１０４は、シーケンスＡに従い、図３に示した期間Ｔ２ＡおよびＴ２Ｂの後の期間Ｔ２Ｃで再度、撮像素子１０３から全画面の画像データを読み出す。そして、その後、制御装置１０４は、期間Ｔ３で、撮像素子１０３から、上述した顔認識処理に基づいて表示した認識枠４ａ内の画像データのみを読み出す。この認識枠４ａ内の画像データは、全画面の画像データよりも小さいため、制御装置１０４は、期間Ｔ２よりも短い期間Ｔ３で読み出しを完了することができる。
【００２５】
そして、制御装置１０４は、読み出した認識枠４ａ内に固定パターンノイズが発生しているか否かを検出する。具体的には、制御装置１０４は、上述したフラッシュメモリに記録されている情報に基づいて、画像内における固定パターンノイズの発生位置を特定し、特定した位置が認識枠４ａ内にあるか否か、すなわち固定パターンノイズの発生位置と認識枠４ａの位置とが重複するか否かを判定することにより検出を行なう。
【００２６】
制御装置１０４は、認識枠４ａ内に固定パターンノイズが発生していることを検出した場合には、認識枠４ａ内の固定パターンノイズを低減するためのＦＰＮ補正処理を実行する。ここでは、例えば、図６に示すように、複数の画素６ａが縦線状のキズを構成して固定パターンノイズが発生した場合のＦＰＮ補正処理について説明する。
【００２７】
この場合は、制御装置１０４は、縦線状のキズを構成する複数の画素６ａに含まれるそれぞれの対象画素の画素値を、周囲に存在する同色画素の画素値に基づいて置き換えることによってＦＰＮ補正を行う。すなわち、線状の固定パターンノイズを発生する対象画素の出力を、当該対象画素の周囲に配置された同色画素の出力を用いて補正する。
【００２８】
周囲に存在する同色画素としては、例えば、図７に示すように、縦線状のキズを構成する複数の画素６ａのうちのＲ成分の画素（Ｒ画素）７ａを補正する場合には、この対象画素７ａの色（Ｒ）と同色の周囲の画素である画素ＲＡ，ＲＢ，ＲＣ，ＲＤ、ＲＥ、ＲＦを用いて補正を行うことになる。なお、図７における同色画素ＲＡ，ＲＢ，ＲＣ，ＲＤ、ＲＥ、ＲＦは、各画素を区別するためにそれぞれＲ成分を示すＲの後にＡ〜Ｆのアルファベットを付加して表記したものである。
【００２９】
本実施の形態では、制御装置１０４は、対象画素７ａの周囲に存在する６つの同色画素ＲＡ、ＲＢ、ＲＣ、ＲＤ、ＲＥ、ＲＦのうちの１つの画素の画素値で対象画素７ａの画素値を置き換えることによってＦＰＮ補正を行う。具体的には、制御装置１０４は、次のように処理を行なう。
【００３０】
制御装置１０４は、連続して入力される複数フレームのうち、１フレーム目、３フレーム目のような奇数フレームに対しては、図８に示すように、対象画素の画素値を置き換える周辺の同色画素を選択する。図８は、縦線状のキズを構成する複数の画素６ａのうちのＲ画素に着目して同色画素の選択例を示した図である。なお、この図８では、対象画素であるＲ画素を示すＲの後に１〜１２の数字を付加してそれぞれの対象画素を区別している。
【００３１】
この図８に示すように、補正対象の各Ｒ画素を補正するために用いる同色画素を、同色画素ＲＡ〜ＲＦの中から時計回りに選択画素を変化させていく。すなわち、対象画素Ｒ１は、同色画素ＲＡを用いて補正を行い、対象画素Ｒ２は、同色画素ＲＢを用いて補正を行い、対象画素Ｒ３は、同色画素ＲＣを用いて補正を行う。また、対象画素Ｒ４は、同色画素ＲＤを用いて補正を行い、対象画素Ｒ５は、同色画素ＲＥを用いて補正を行い、対象画素Ｒ６は、同色画素ＲＡを用いて補正を行う。以降、対象画素Ｒ７〜Ｒ１２についても、同様に時計回りに選択画素を変化させながら同色画素を用いて補正を行う。
【００３２】
一方、制御装置１０４は、連続して入力される複数フレームのうち、２フレーム目、４フレーム目のような偶数フレームに対しては、図９に示すように、補正対象の各Ｒ画素を補正するために用いる同色画素を、同色画素ＲＡ〜ＲＦの中から反時計回りに選択画素を変化させていく。すなわち、対象画素Ｒ１は、同色画素ＲＢを用いて補正を行い、対象画素Ｒ２は、同色画素ＲＡを用いて補正を行い、対象画素Ｒ３は、同色画素ＲＦを用いて補正を行う。また、対象画素Ｒ４は、同色画素ＲＥを用いて補正を行い、対象画素Ｒ５は、同色画素ＲＤを用いて補正を行い、対象画素Ｒ６は、同色画素ＲＢを用いて補正を行う。以降、対象画素Ｒ７〜Ｒ１２についても、同様に反時計回りに選択画素を変化させながら同色画素を用いて補正を行う。
【００３３】
このように、補正に用いる同色画素を対象画素を中心に回転させながら選択することにより、補正に用いる同色画素を選択するための回路の簡素化を図ることができる。また、奇数フレームと偶数フレームとで選択する画素の回転方向を変更することにより、例えば、図８に示したＲＡやＲＥなどの対象画素の左側に位置する周辺画素が欠陥画素であった場合や、その左側の周辺画素列の信号処理系（読み出しラインやアンプなど）に大きなノイズ成分が発生していた場合でも、該欠陥画素や該画素列の影響によりその画素又は画素列を用いて補正した対象画素の補正精度が低下するのを奇数フレームまたは偶数フレームのいずれか一方のみに抑えることができる。すなわち、周辺画素に欠陥画素やノイズ成分が含まれる場合でも、それによる補正精度の低下を最小限に抑えることができる。
【００３４】
その後、ステップＳ４０へ進み、制御装置１０４は、認識動作Ｂが継続中か否かを判断する。ステップＳ４０で否定判断した場合には、ステップＳ３０へ戻って処理を繰り返す。これに対して、ステップＳ４０で肯定判断した場合には、ステップＳ１０へ戻る。そして、制御装置１０４は、スルー画の表示が終了するまで図２に示す処理を繰り返す。
【００３５】
以上説明した本実施の形態によれば、以下のような作用効果を得ることができる。
（１）制御装置１０４は、撮像素子１０３から読み出した画像データ内における線状の固定パターンノイズの発生位置を特定し、特定した線状の固定パターンノイズの発生位置と撮影画面内の認識枠４ａの位置とが重複する場合には、認識枠４ａに対応する画像データに対し、固定パターンノイズによる影響を抑制するための補正処理を実行するようにした。これによって、データサイズの小さい認識枠４ａ内の画像データを対象としてＦＰＮ補正処理を行なえばよいため、ＦＰＮ補正処理の高速化を図ることができる。
【００３６】
（２）制御装置１０４は、図５に示したように、期間Ｔ２Ｃで撮像素子１０３から全画面の画像データを読み出した後に、期間Ｔ３で撮像素子１０３から認識枠４ａ内の画像データのみを読み出すようにした。これによって、全画面の画像データ内から認識枠４ａ内の画像データを抽出して切り出すための画像処理を行うよりも高速に認識枠４ａ内の画像データを取得することができる。
【００３７】
（３）制御装置１０４は、撮像素子１０３から認識枠４ａ内の画像データを読み出し、認識枠４ａ内の画像内における線状の固定パターンノイズの発生位置を特定し、特定した線状の固定パターンを構成する各画素を、それらの画素の周囲の同色画素を用いて補正するようにした。これによって、データサイズの小さい認識枠４ａ内の画像データを対象として、周囲の同色画素を用いてＦＰＮ補正処理を行えばよいため、ＦＰＮ補正処理を高速に行うことができる。
【００３８】
（４）制御装置１０４は、対象画素の周囲の同色画素のうちの１つを選択し、対象画素の画素値を選択した１つの画素の画素値で置き換えることにより、ＦＰＮ補正を行うようにした。これによって、周囲の同色画素を用いて簡易にＦＰＮ補正を行うことができる。
【００３９】
（５）制御装置１０４は、補正に用いる同色画素を対象画素を中心に回転させながら選択することにより、選択する同色画素の対象画素に対する相対位置を各対象画素ごとに変更するようにした。これによって補正に用いる同色画素を選択するための回路の簡素化を図ることができる。
【００４０】
（６）制御装置１０４は、奇数フレームと偶数フレームとで選択する画素の回転方向を変更することにより、選択する同色画素の対象画素に対する相対位置をフレームごとに変更するようにした。これによって、周辺画素に欠陥画素が含まれる場合でも、それによる補正精度の低下を最小限に抑えることができる。
【００４１】
（７）画像内における固定パターンノイズの発生位置を特定するための情報は、あらかじめフラッシュメモリに記録しておくようにした。これによって、制御装置１０４は、記録されている情報に基づいて容易に画像内における固定パターンノイズの発生位置を特定することができる。
【００４２】
（８）制御装置１０４は、全画面の画像データ内に認識枠４ａを表示するようにした。これによって、使用者は、スルー画上で顔認識の結果を確認することができる。
【００４３】
―変形例―
なお、上述した実施の形態のカメラは、以下のように変形することもできる。
（１）上述した実施の形態では、制御装置１０４は、全画面の画像データ内に顔認識処理で認識した顔を含んだ最小の領域を示す認識枠４ａを表示する例について説明した。しかしながら、制御装置１０４は、図１０（ａ）や図１０（ｂ）に示すように、認識枠４ａ内の領域とその周囲の領域を囲んだ枠１０ａを全画面の画像データ内に表示するようにしてもよい。そして、制御装置１０４は全画面の画像データのうち、枠１０ａ内のみをカラー画像とし、それ以外の領域を白黒画像とすることにより、全画面の画像データをモノトーン化してもよい。これによって、使用者はスルー画上で主要被写体としての人物の顔を追跡し易くなり、画角の調整を短時間で行うことができる。
【００４４】
（２）上述した実施の形態では、制御装置１０４は、認識動作Ａにおいて、期間Ｔ２Ｂで全画面の画像データ内から人物の顔を認識するための顔認識処理を実行する例について説明した。しかしながら、制御装置１０４は、認識動作Ａにおいて、期間Ｔ２Ｂで人物の顔以外の特定被写体を認識するようにしてもよい。この場合、認識した特定被写体を含んだ領域を対象として、認識枠表示やＦＰＮ補正処理を行えばよい。
【００４５】
（３）上述した実施の形態では、図５に示した認識動作ＢにおけるシーケンスＢにおいて、認識枠４ａ内の画像データは、期間Ｔ２Ｃで撮像素子１０３から全画面の画像データを読み出した後に、期間Ｔ３で１回のみ読み出す例について説明した。しかしながら、図１１に示すように、期間Ｔ２Ｃで撮像素子１０３から全画面の画像データを読み出した後に、期間Ｔ３で認識枠４ａ内の画像データを複数回読み出すようにしてもよい。
【００４６】
（４）上述した実施の形態では、制御装置１０４は、スルー画表示中に図２に示す処理を実行する例について説明したが、これに限定されず、動画撮影時や静止画撮影時に図２に示す処理を実行してＦＰＮ補正を行うようにしてもよい。
【００４７】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００４８】
１００  カメラ、１０１  操作部材、１０２  レンズ、１０３  撮像素子、１０４  制御装置、１０５  メモリカードスロット、１０６  モニタ
【図１】
2011109580.tif 000003
【図２】
2011109580.tif 000004
【図３】
2011109580.tif 000005
【図４】
2011109580.tif 000006
【図５】
2011109580.tif 000007
【図６】
2011109580.tif 000008
【図７】
2011109580.tif 000009
【図８】
2011109580.tif 000010
【図９】
2011109580.tif 000011
【図１０】
2011109580.tif 000012
【図１１】
2011109580.tif 000013